(57)【要約】【課題】  人手や電源を必要とせず、機械的機構のみで作動し、水田に設置が可能で、かつ、コンパクトで、水田の畔から突出する高さが低い、水田の水位を一定範囲で調整可能な水位調整装置を提供する。【解決手段】  用水路側に連通する第一の開口部と、遊水区域側に連通する第二の開口部を備える筐体と、前記筐体の第二の開口部側の内部に、略鉛直方向に摺動可能に設けられたフロートと、前記筐体の前記第一の開口部近傍に設けられた回動軸を介して取り付けられ、前記筐体の前記第一の開口部側に開閉可能な弁と、前記フロートと前記弁の間に設けられてなる支点を軸として回動可能に設けられ、一方の端が前記フロートに可動状態で接合され、他方の端が前記弁に可動状態で接合されてなる略Ｌ字形状を有する第一の棒状部材とで、前記フロートの鉛直方向の摺動に伴い、前記弁が開閉する機能を有する水位調整装置を構成する。【選択図】図１
2014131500.tif 000002
【特許請求の範囲】
【請求項１】
用水路側に連通してなる第一の開口部と、遊水区域側に連通してなる第二の開口部を備える筐体と、前記筐体の第二の開口部側の内部に、略鉛直方向に摺動可能に設けられてなるフロートと、前記筐体の第一の開口部側に開閉可能な弁と、前記フロートと前記弁の間に設けられてなる支点を軸として回動可能に設けられ、一方の端が前記フロートに可動状態で接合され、他方の端が前記弁に可動状態で接合されてなる略Ｌ字形状を有する第一の棒状部材を備え、前記フロートの鉛直方向の摺動に伴い、前記弁が開閉する機能を有することを特徴とする水位調節装置。
【請求項２】
前記第一の棒状部材の前記フロートに接合されている端は、前記フロートの上部に前記弁設けられてなる前記弁の面と垂直な方向に略水平に設けられてなる第一のスリットに沿って摺動可能であることを特徴とする、請求項１に記載の水位調節装置。
【請求項３】
前記第一の棒状部材の前記弁に接合されている端は、弁に設けられた軸に回動可能に接合され、第二のスリットが設けられてなる第二の棒状部材の、前記第二のスリットに沿って摺動可能であることを特徴とする、請求項１または請求項２に記載の水位調節装置。
【発明の詳細な説明】
【技術分野】
【０００１】  本発明は、用水路と遊水区域の間に設置される、電力などが不要な水位調整装置、特に水田の水位を調整するのに適した水位調整装置に関するものである。
【背景技術】
【０００２】  現在の稲作農業は、従事人口の減少及び高齢化、米の消費量減少などによる価格下落、美味しい米へのニーズなど、多くの問題を抱え、省力化及びコスト削減が求められている他、輸入自由化への圧力などから、さらなる競争力強化が必要で、抜本的な改革が急務である。【０００３】  水田は畔と称される盛土によって区切られ、区域毎に用水の水位の管理などがなされるのが一般的である。そして用水は、やはり畔で隔てられた用水路から導入されるが、水稲の生育期において生育状態に合わせた細やかな管理が必要で、特に水田の水位の調整による温度管理が収量に影響する。このため従来は、この水田水位管理を、水稲育成従事者が毎日、水田を点検しながら行っていた。【０００４】  しかし、前記の稲作経営の実態により、省力化、コスト削減が求められ、人手に頼らない自動装置による水田水位の調整が必要となっていて、これに対応した装置が望まれている。【０００５】  このような要望に対処する技術として、例えば特許文献１には、電磁弁の動作により、水田などの潅漑用水を自動的に供給する装置が開示されている。しかしながら、ここに開示されている装置は構造が複雑で製造コスト低減が困難な他、多くの場合、広い圃場では電源の確保が困難である。【０００６】  また、特許文献２にはフロートと一体化された弁を用いることにより、水田水位により給水管の開口面積を変化させることで、電力を用いることなく自動的に水田に用水を導入する機構が開示されている。【０００７】  更に本発明者は、フロートの浮力を利用して水田の水位を一定に保持する装置を、特許文献３として提案している。これらの技術によれば、水田の水位を一定に保持すること可能となる。しかし、実際にこの水位調整装置を水田に設置すると、大きさ、特に高さや構造の複雑さが問題となり、農作業の妨げとなる場合があることが明らかになってきた。
【先行技術文献】
【特許文献】
【０００８】
【特許文献１】  特開２００５−３４８６９５号公報
【特許文献２】  特開２００９−１１２２９６号公報
【特許文献３】  特開２０１１−１６７１７３号公報
【発明の開示】
【発明が解決しようとする課題】
【０００９】  従って、本発明の課題は、人手や電源を必要とせず、機械的機構のみで作動し、水田の何処にでも設置が可能で、かつ、コンパクトで、水田の畔から突出する高さが低い、水田の水位を一定範囲で調整可能な水位調整装置を提供することにある。
【課題を解決するための手段】
【００１０】  本発明は。前記の課題に鑑み、前記のフロートを利用した水位調整装置において、高さを減少し得る構造、特にフロートと弁の接合構造を、再検討した結果、なされたものである。【００１１】  即ち、本発明は、用水路側に連通してなる第一の開口部と、遊水区域側に連通してなる第二の開口部を備える筐体と、前記筐体の第二の開口部側の内部に、略鉛直方向に摺動可能に設けられてなるフロートと、前記筐体の前記第一の開口部近傍に設けられてなる回動軸を介して取り付けられ、前記筐体の前記第一の開口部側に開閉可能な弁と、前記フロートと前記弁の間に設けられてなる支点を軸として回動可能に設けられ、一方の端が前記フロートに可動状態で接合され、他方の端が前記弁に可動状態で接合されてなる略Ｌ字形状を有する第一の棒状部材を備え、前記フロートの鉛直方向の摺動に伴い、前記弁が開閉する機能を有することを特徴とする水位調整装置である。【００１２】  また本発明は、前記第一の棒状部材の前記フロートに接合されている端が、前記フロートの上部に前記弁設けられてなる前記弁の面と垂直な方向に略水平に設けられてなる第一のスリットに沿って摺動可能であることを特徴とする、前記の水位調整装置である。【００１３】  また、本発明は、前記第一の棒状部材の前記弁に接合されている端が、弁に設けられた回動軸に回動可能に接合され、第二のスリットが設けられてなる第二の棒状部材の、前記第二のスリットに沿って摺動可能であることを特徴とする、前記の水位調整装置である。
【発明の効果】
【００１４】  本発明の水位調整装置は、前記のように遊水区域、即ち、水田の水位によって、略鉛直方向に摺動するフロートの動作に伴って、開閉する弁が用水路側に設けられている。そして、水田側の水位が一定以下になると、弁が開いて用水が水田側に注入可能な構造となっているので、電力などを用いることなく、自動的に作動し、水田などの遊水区域の水位を一定範囲に保持することを可能とする。【００１５】  また、本発明の水位調整装置におけるフロートと弁は、前記のように、その間に設けられた支点に、回動可能な状態で取り付けられてなる、Ｌ字型の天秤棒の両端に接合された構造なので、高さを低く設計することが可能であり、水田の畔などに設置しても、農作業の障害となることが極めて少ない。
【図面の簡単な説明】
【００１６】
【図１】  本発明に係る水位調整装置の一例を示す概略図。
【発明を実施するための形態】
【００１７】  次に本発明の実施の形態について、具体的な図を参照しながら説明する。
【００１８】  図１は、本発明に係る水位調整装置の一例を示す概略図である。図１において、１は水位調整装置の筐体、２は用水路側に連通する第一の開口部、３は遊水区域側に連通する第二の開口部、４ａは略上限の位置のフロート、４ｂは下方に摺動した位置のフロート、５は略Ｌ字形状を有する第一の棒状部材、６は第一の棒状部材の支点、７は第一の棒状部材のフロート側の接合部、８は第一のスリット、９はフロートを略鉛直方向に摺動させるためのガイド、１０はガイドロッド、１１ａは閉塞状態の弁、１１ｂは解放状態の弁、１２は弁の回動軸、１３は第一の棒状部材の弁側の接合部、１４は第二の棒状部材、１５は第二の棒状部材を接合する回動軸、１６は第二のスリットである。
【００１９】  フロート４ａは、浮力を確保するために、塩化ビニルなどの比較的軽量の材料で構成される。また、筐体１や弁１１ａも、塩化ビニルのような材料で構成することができる。それ以外の部材は、ある程度の機械的な強度を要するので、金属材料で構成するが、絶えず水と接触した状態で運用されるので、錆が生じ難いステンレスのような材料で構成することが望ましい。
【００２０】  本発明の水位調整装置は、図１に示したような簡単な構成で、フロートが、動作可能範囲の上限に配されている状態、即ち、遊水区域側の水位が、フロートの少なくとも下端まで達している状態では、弁が閉塞状態となり、遊水区域側の水位の低下に伴ってフロートが下降すると、図１において、二点鎖線で示したように、弁が開いた状態となり、用水路側に配されている第一の開口部から、水が供給される。
【００２１】  また、ここでは特に具体的に例示しないが、例えば、第一の棒状部材の支点６の高さの調整、第二棒状部材の長さの調整などの手段で、フロートの位置と弁の開き角度の関係を調整することが可能である。
【００２２】  以上に説明したように、本発明によれば、水田の水位を任意のレベルで、自動的に保持することが可能となり、稲作の合理化に寄与するところは大きいと言える。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２３】１・・・筐体    ２・・・第一の開口部    ３・・・第二の開口部
４ａ・・・略上限の位置のフロート    ４ｂ・・・下方に摺動した位置のフロート
５・・・第一の棒状部材    ６・・・第一の棒状部材の支点
７・・・第一の棒状部材のフロート側の接合部    ８・・・第一のスリット
９・・・ガイド    １０・・・ガイドロッド    １１ａ・・・閉塞状態の弁
１１ｂ・・・解放状態の弁    １２・・・弁の回動軸
１３・・・第一の棒状部材の弁側の接合部    １４・・・第二の棒状部材
１５・・・は第二の棒状部材を接合する回動軸    １６・・・第二のスリット
【図１】
2014131500.tif 000003